(57)【特許請求の範囲】
【請求項１】
上端部の外周面には凸縁11、内周面には雌ネジ溝Ｓが形成されており、かつ、スラブ、束石などのベース上に立設可能なスタンド雌ネジ筒１と；この雌ネジ筒１の雌ネジ溝Ｓに上げ下げ自在に螺合し、かつ、上部には床支承部33を有するスクリューロッド２と；このスクリューロッド２に螺合して当該スクリューロッド２とスタンド雌ネジ筒１との位置関係を、同スタンド雌ネジ筒１に圧着することによってロックするロックナット４であって、このロックナット４は、スタンド雌ネジ筒１の前記凸縁11に掛合するフック片41を備え、かつ、このスタンド雌ネジ筒１とロックナット４との圧着面には互いの回転滑動を阻止する制動部Ｂ1・Ｂ2を形成したことを特徴とする高さ調節床束のチャッキング・レベルロック機構。
【請求項２】
ロックナット４における雌ネジの終部近傍に沿って楔片43が下向きに突成されており、当該ロックナット４をスクリューロッド２に沿ってスタンド雌ネジ筒１方向へ向け締寄せたとき、前記楔片43がスタンド雌ネジ筒１とスクリューロッド２との間の空間部に捻込まれて楔止め可能である請求項１記載の高さ調節床束のチャッキング・レベルロック機構。
【請求項３】
床組構造部（Ｌ・Ｊ）を支承する床支承部33を上部に備え、かつ、下端部の外周面には凸縁31を有すると共に、下向きの筒部内周面には雌ネジ溝が形成された床支承雌ネジ筒３と；この床支承雌ネジ筒３に上げ下げ自在に螺合し、前記床支承部３のレベルを調節するスクリューロッド２と；このスクリューロッド２に螺合して当該スクリューロッド２と前記床支承雌ネジ筒３との位置関係を、同床支承雌ネジ筒３に圧着することによってロックするロックナット４であって、このロックナット４は、床支承雌ネジ筒３の凸縁31に掛合せるフック片41を備え、かつ、この床支承雌ネジ筒３とロックナット４との圧着面には互いの回転滑動を阻止する制動部Ｂ1・Ｂ2 を形成したことを特徴とする高さ調節床束のチャッキング・レベルロック機構。
【請求項４】
ロックナット４における雌ネジの終部近傍に沿って楔片43が上向きに突成されており、当該ロックナット４をスクリューロッド２に沿って床支承雌ネジ筒１方向へ向け締寄せたとき、前記楔片43が床支承雌ネジ筒３とスクリューロッド２との間に捻込まれて楔止め可能である請求項３記載の高さ調節床束のチャッキング・レベルロック機構。
【請求項５】
スラブまたは束石上に設置すべきスタンド雌ネジ筒１と、この雌ネジ筒１に上げ下げ自在に螺合せるスクリューロッド２と、このスクリューロッド２の上部に上げ下げ自在に螺合せる床支承雌ネジ筒３と、この床支承雌ネジ筒３および前記スタンド雌ネジ筒１とスクリューロッド２とのレベル位置関係をロックする一対のロックナット４・４との組み合せから成る高さ調節床束において、前記スタンド雌ネジ筒１の上端外周面と床支承雌ネジ筒３の下端外周面に凸縁11・31を各々形成する一方、これらスタンド雌ネジ筒１又は床支承雌ネジ筒３の凸縁11・31に掛合可能なフック片41を有する一対のロックナット４・４を前記スクリューロッド２に螺合させた状態で前記両雌ネジ筒１・３の各凸縁11と31とに対し前記フック片41・41を掛合させ、さらに前記スタンド雌ネジ筒１および床支承雌ネジ筒３と、これに対応するロックナット４とには両者の圧着時に回転滑動を阻止する制動部Ｂ1・Ｂ2 を形成したことを特徴とする高さ調節床束のチャッキング・レベルロック機構。
【請求項６】
スラブまたは束石上に設置すべきスタンド雌ネジ筒１と、この雌ネジ筒１に上げ下げ自在に螺合せるスクリューロッド２と、このスクリューロッド２の上部に上げ下げ自在に螺合せる床支承雌ネジ筒３と、この床支承雌ネジ筒３および前記スタンド雌ネジ筒１とスクリューロッド２とのレベル位置関係をロックする一対のロックナット４・４との組み合せから成り、かつ、前記スタンド雌ネジ筒１および床支承雌ネジ筒３と、これに対応するロックナット４とには両者の圧着時に回転滑動を阻止する制動部Ｂ1・Ｂ2 を形成した高さ調節床束において、前記スタンド雌ネジ筒１の上端外周面と床支承雌ネジ筒３の下端外周面に凸縁11と31とを各々形成する一方、これらスタンド雌ネジ筒１又は床支承雌ネジ筒３の凸縁11・31に掛合可能なフック片41を有する一対のロックナット４・４を前記スクリューロッド２に螺合させた状態で前記両雌ネジ筒１・３の各凸縁11・31に対し前記フック片41・41を掛合させ、こうして前記各凸縁11・31に掛合された上下のロックナット４・４の各々には、スタンド雌ネジ筒１または床支承雌ネジ筒３とスクリューロッド２との間に捻込み可能な楔片43を突成したことを特徴とする高さ調節床束のチャッキング・レベルロック機構。
【請求項７】
少なくともスタンド雌ネジ筒１の上端部には第１延筒部12が連成され、かつ、こうして連成された前記延筒部12の外周には凸縁11が形成され、この凸縁11にロックナット４のフック片41が掛合している請求項１〜６の何れか一つに記載の高さ調節床束のチャッキング・レベルロック機構。
【請求項８】
ロックナット４と、スタンド雌ネジ筒１又は床支承ネジ筒３との当接面とにローレットが刻設されて制動部Ｂ1・Ｂ2を構成している請求項１〜７の何れか一つに記載の高さ調節床束のチャッキング・レベルロック機構。
【請求項９】
スクリューロッド２における雄ネジ部21が、上部と下部で逆ネジに構成されており、この上部ネジ部21ａと下部ネジ部21ｂの境界部位に回し部22が設けられてある請求項１〜８の何れか一つに記載の高さ調節床束のチャッキング・レベルロック機構。
【発明の詳細な説明】
【０００１】
【発明の属する技術分野】
本発明は、高さ調節床束の改良、詳しくは、大引き等のスリーパー部材やフロアボードを、スラブや束石上に所定のレベル位置に自在に調節して配設できて、しかもレベル揃えが済んだところで設定したレベルが狂わないように確実かつ安定にロックできて高精度で耐久性に富んだ床構造物を構築できる高さ調節床束のチャッキング・レベルロック機構に関するものである。
【０００２】
【従来の技術】
周知のとおり、最近における建造物に関しては工事全般に亙って工期の短縮化と工費の節減とが求められており、その要請は床工事にも及んでいる。このような事情から、最近の床工事においては現場における束立てなどの木工作業は極力少なくするためにアジャストボルト機構を利用した高さ調節式床束を用いて床を構築する床工法が一般に普及してきた。
【０００３】
ところが、従来周知の高さ調節床束は、図１におけるスタンド雌ネジ筒１と、この雌ネジ筒１に上げ下げ自在に螺合せるスクリューロッド２と、このスクリューロッド２の上部に上げ下げ調節自在に螺合せる床支承雌ネジ筒３とを単純に組み合せたアジャストボルト機構であった。このため、例えば施工後に床上での人の活動（歩行、起居振舞い、運動など）を通じ不可避的に生ずる振動、あるいはエアコン等の作動で生ずる微振動で床束のスクリューロッド２と雌ネジ筒１・３との螺合位置が回り動いて床レベルが狂ってしまうという問題が出てきた。
【０００４】
そこで、本件発明者は、図１におけるスクリューロッド２とスタンド雌ネジ筒１および床支承雌ネジ筒３との間にロックナット4a・4aを螺装して、床支承雌ネジ筒１の支承レベルが設定された状態で、前記ロックナット4a・4aをスタンド雌ネジ筒１の上端面と床支承雌ネジ筒３の下端面とに螺合圧接させ、ロックナット4a・4aの緊締摩擦力によりスクリューロッド２の回り動きを阻止しようとの試みをしてみた。
【０００５】
なるほど、スクリューロッド２に螺合した状態のロックナット4a・4aをスタンド雌ネジ筒１の上端面と床支承雌ネジ筒３の下端面とに螺合圧接させると、スクリューロッド２は雌ネジ筒１・３とロックナット4a・4aとが圧接した状態で各々背反方向へ引っ張られるような作用を受けるので、スクリューロッド２と雌ネジ筒１・３との摩擦抵抗も大きくなって確かに回り動きが低減されることになる。しかしながら、床上での人の活動による生活振動やエアコンなどの機械振動は、絶え間なく継続するものであって、特にエアコンなどの微振動はロックナットでシッカリとロックしてあっても、束床におけるアジャストボルト機構の結合を狂わせてしまうのであった。
【０００６】
【発明が解決しようとする課題】
本発明は、従来のアジャストボルト機構の高さ調節床束に前述のごとき難点があったことに鑑みて為されたものであって、スラブないし束石上に所定のレベルに自在に調節して配設することができ、しかもレベル揃えが済んだところで設定したレベルを狂いなく確実、かつ、安定にロックできて高精度で耐久性に富んだ床構造物を迅速に構築できるチャッキング・レベルロック機構を備えた実用的な高さ調節床束を提供することを技術的課題とするものである。
【０００７】
【課題を解決するために採用した手段】
本発明者が上記技術的課題を解決するために採用した手段を、添附図面に参照して説明すれば、次のとおりである。
【０００８】
即ち、本発明は、上端部の外周面には凸縁11、内周面には雌ネジＳが形成されており、かつ、スラブ、束石等のベース上に立設可能なスタンド雌ネジ筒１と；この雌ネジ筒１の雌ネジ42に上げ下げ自在に螺合し、かつ、上部には床支承部33を有するスクリューロッド２と；このスクリューロッド２に螺合して当該スクリューロッド２と前記スタンド雌ネジ筒１との位置関係をロックさせる部材であって、スタンド雌ネジ筒１の凸縁11に掛合せるフック片41を備えたロックナット４と；によって高さ調節床束のチャッキング・レベルロック機構を構成した点に特徴がある。
【０００９】
また、本発明は、床組構造部を支承する床支承部33を上部に備え、かつ、下端部の外周面には凸縁31を有すると共に、下向きの筒部内周面には雌ネジ溝が形成された床支承雌ネジ筒３と；この床支承雌ネジ筒３に上げ下げ自在に螺合し、前記床支承部33のレベルを調節するスクリューロッド２と；このスクリューロッド２に螺合して当該スクリューロッドと前記床支承雌ネジ筒３との位置関係をロックさせる部材であって、床支承雌ネジ筒の凸縁31に掛合せるフック片41を備えたロックナット４と；によって高さ調節床束のチャッキング・レベルロック機構を構成した点に特徴がある。
【００１０】
さらに、本発明は、スラブまたは束石上に設置すべきスタンド雌ネジ筒１と、この雌ネジ筒１に上げ下げ自在に螺合せるスクリューロッド２と、このスクリューロッド２の上部に上げ下げ自在に螺合せる床支承雌ネジ筒３と、この床支承雌ネジ筒３および前記スタンド雌ネジ筒１とスクリューロッド２とのレベル位置関係をロックする一対のロックナット４・４との組み合わせから成る高さ調節床束を技術的前提とするものであって、
前記スタンド雌ネジ筒１の上端外周面と床支承雌ネジ筒３の下端外周面に凸縁11・31を各々形成する一方、これらスタンド雌ネジ筒１又は床支承雌ネジ筒３の凸縁11・31に掛合可能なフック片41・41・・・・を有する一対のロックナット４・４を前記スクリューロッド２に螺合させた状態で当該各凸縁11・31に対し前記フック片41・41・・・・を掛合させ、更に前記スタンド雌ネジ筒１および床支承雌ネジ筒３と、これに対応するロックナット４・４とには両者の圧着時に回転滑動を阻止する制動部Ｂ1 ・ Ｂ2 を形成するか、
あるいは、この制動部Ｂ1 ・ Ｂ2 に代え、若しくは同制動部Ｂ1 ・ Ｂ2 に加えてスクリューナット２とスタンド雌ネジ筒１または床支承雌ネジ筒３との間の空隙部に捻込み可能な楔片43・43をロックナット４・４の雌ネジ42の終部に突成するという手段を採用した点に特徴がある。
【００１１】
本発明を構成する技術要素につき説明を補足しておくと、上記スタンド雌ネジ筒１の上端外周面および床支承雌ネジ筒３の下端外周面に、各々、凸縁11を形成する場合、前記スタンド雌ネジ筒１の上端部には第１延筒部12を連成し、また、床支承雌ネジ筒３の下端部には第２延筒部32を連成して、前記各延筒部12・32の各々の外周面に凸縁11又は31を形成するのが加工上、都合がよい。
【００１２】
つぎに、上記一対のロックナット４・４は、例えば、次のように作製するものとする。
▲１▼  スタンド雌ネジ筒１に対応する下側のロックナット４には、その内周面にスクリューロッド２の雄ネジ溝に螺合する雌ネジ42を形成すると共に、下縁部にフック片41・41・・・・を等角度に垂設し、これらのフック片はスタンド雌ネジ筒１の凸縁11に掛合させておき、スクリューロッド２はスタンド雌ネジ筒１の雌ネジ溝とロックナット４の雌ネジ42との双方に螺合させた状態に組み合せる。
▲２▼  床支承雌ネジ筒３に対応する上側のロックナット４は、これとは反対に上縁部にフック片41・41・・・・を等角度に立設し、これらのフック片41・41・・・・は床支承雌ネジ筒３の凸縁31に係合して、スクリューロッド２は床支承雌ネジ筒３の雌ネジ溝とロックナット４の雌ネジ42との双方に螺合させた状態に組み合せる。
【００１３】
また、スクリューロッド２は、その周面の雄ネジ部を上下領域で逆ネジに構成して、この上部ネジ溝21ａと下部ネジ溝21ｂの境界部位に回し部22を設けておくと使い勝手が良い。
【００１４】
【発明の実施の形態】
以下、本発明を添附図面に示す実施形態品に従って更に具体的に説明する。
【００１５】
図面は本発明を適用して作製した第１実施形態品であり、チャッキング・レベルロック機構を具備した合成樹脂（ナイロン６６）製の高さ調節床束を表わす。図面上、符号１で指示するものはスタンド雌ネジ筒であり、コンクリートスラブや束石上に立設配置し易いようにペディスタル形に成形してある。このスタンド雌ネジ筒１の上端部には、第１延筒部12が円筒状に突設されており、第１延筒部の周囲には凸縁11が周設してある。本実施形態のスタンド雌ネジ筒１の下端には円形の定置フランジ13が一体に延設してあり、この定置フランジ13には同心円的に開設した多数の円弧状通孔14と、アンカー孔15を適数設けられている。なお、符号16で指示するものは、スタンド雌ネジ筒１の立筒部側面と定置フランジ13との間に等角度に形成した補強リブである。
【００１６】
また、図中、符号２で指示するものはスクリューロッドであり、その周面には所定歩みのネジ溝21を有し、上記スタンド雌ネジ筒１と後述の床支承雌ネジ筒の双方に捻込み・捻戻し自在に螺合する。本実施形態品のスクリューロッド２は、上側領域と下側領域とで前記ネジ溝21が逆ネジ関係をなし、上部ネジ溝21ａと下部ネジ溝21ｂとに区分されており、これら上部ネジ溝21ａと下部ネジ溝21ｂとの境界部位に手回しハンドル形の回し部22が一体に成形してある。
【００１７】
また、図中に符号３で指示するものは床支承雌ネジ筒であり、雌ネジ筒部３ａが下向きに上記スクリューロッド２に螺合する。この雌ネジ筒部３ａの下端部には第２延筒部32が円筒状に突設してあり、この第２延筒部32の下端周囲には凸縁31が周設されている。なお、本実施形態品は、床構造における大引きを支承する形式に構成してあって、床支承雌ネジ筒３上端の床支承部33は角底樋形の大引き受けになっており、この床支承部（大引き受け）33の側板には支承する大引きに釘止めするための釘孔33ａ・33ａ・・・・が開設してある。
【００１８】
次に、図中に符号４・４で指示するものはロックナットであって、一つは上記床支承雌ネジ筒３の第２延筒部32に対向する如く上記スクリューロッド２の上部ネジ溝21ａに螺合されており、もう一つは上記スタンド雌ネジ筒１の第１延筒部12に対向する如く上記スクリューロッド２の下部ネジ溝21ｂに螺合されている。本実施形態品において第２延筒部32に対応する上側のロックナット４は雌ネジ42を内周面に有し、上端周面には突端が内側へ屈曲した３つの弾性を有するフック片41が120°間隔で立設してある。他方、第１延筒部12に対応する下側のロックナット４もまた、内周面に雌ネジ42（上側のロックナットとは逆ネジ）を有し、同じく３つの弾性を有するフック片41は下向きに120°間隔に垂設されてある。本実施形態のロックナット４・４には、スタンド雌ネジ筒１および床支承雌ネジ筒３の第１・第２延筒部に噛合可能なローレットが刻設されており、両者が面合圧接したとき制動部Ｂとして機能する（図４参照）。さらにまた、本実施形態品においては、上下のロックナット４・４の各々に、３つの楔片43が当該ロックナット内周面とほゞ同一平面に並ぶごとく突設してあって、スクリューロット２をスタンド雌ネジ筒１および床支承雌ネジ筒３にロックナット４・４によって締寄せロックしたとき、第１・第２延筒部12・32とスクリューロッド２との間の僅かな空隙に捻込まれて楔止め状態を形成するようになっている。
【００１９】
本実施形態品を使用して大引き組の床構造を構築するあたっては、図５に示すようにコンクリートスラブ又は束石の上に本実施形態品である床束Ｐ・Ｐ・・・・を所要の間隔で配置し、定置フランジ13部分を接着剤で接着固定する。この場合、アンカー孔15に適宜コンクリート釘を打ち込んでアンカーとしてもよい。
【００２０】
次に、スクリューロッド２がスタンド雌ネジ筒１と床支承雌ネジ筒３との中間に位置するように中間の回し部22を操作して、全ての床束Ｐ・Ｐ・・・・の支承レベルを調節してレベル合せをする。この状態において、上下のロックナット４・４におけるフック片41・41は、スタンド雌ネジ筒１および床支承雌ネジ筒３の凸縁11又は31に各々掛合させてある。それゆえ、これらロックナット４・４を各々締寄せる如く捻じ回せば、前記両雌ネジ筒１・３の第1・第２延筒部12・32端面に刻設されたローレットＢ2 と、これに対面するロックナット４・４の端面に刻設されたローレットとで構成する制動部Ｂ1 とが噛合して回り止め作用を発揮すると同時に、当該ロックナット４・４に突設した楔片43が第１・第２延筒部12・32とスクリューロッド２との間の僅かな空隙部に捻込まれて楔止め状態を形成して、当該床束Ｐはシッカリとレベルロックされて狂いの生じない状態となる。
【００２１】
そこで、床束Ｐ・Ｐ・・・・における角底樋形の床支承部33・33・・・・に大引きＪを跨設して側板の釘孔33ａ・33ａ・・・・に釘付けすればよく、こうして架設された、大引きＪ・Ｊ・・・・相互の間に根太掛けＬをすれば床組が完了する。
【００２２】
本実施形態品の具体的構成ならびに本実施形態品の床束Ｐを用いて床組を構築する方法は概ね上記のとおりであるが、本発明は前述の実施形態に限定されるものでは決してなく、「特許請求の範囲」の記載内において種々の設計変更が可能であることは言うまでもない。
【００２３】
例えば、前述の実施形態品における床支承雌ネジ筒３の床支承部33は、大引きを支承するように角底樋形に構成してあったが、床支承部33は図６に示す如く、方形の木板を固着して構成してもよい。このような木板にて床支承部33を構成した場合には、その当該床束Ｐの上に直接フローリングの捨張り板を付設することができ、かゝる変更実施も本発明の技術的範囲に属するものと言うべきである。
【００２４】
また、前述の実施形態品においては、スタンド雌ネジ筒１と、スクリューロッド２と、床支承雌ネジ筒３と、この床支承雌ネジ筒３と前記スタンド雌ネジ筒１に対応する一対のロックナット４・４との組み合せによって高さ調節式床束Ｐが構成されていたが、図７に示す変形実施形態のように床支承雌ネジ筒を省略したり、図８に示す変形実施形態のようにスタンド雌ネジ筒を省略して実施することも可能である。図７の変形実施形態におけるスクリューロッド２とスタンド雌ネジ筒１に対するロックナット４の関係は、第１実施形態品におけるものと基本的に変わりがなく、ロックナット４はフック片41と楔片43とローレット（制動部）Ｂ1 ( 図７では隠れて見えず）とを有し、ロックナット４のフック片41がスタンド雌ネジ筒１の凸縁11に掛合した状態でロックナット４の締寄せにより楔片43がスタンド雌ネジ筒１とスクリューロット２との間の僅かな空隙部に捻込み楔止め可能になっている。たゞ、この図７の変形実施形態にあっては、スクリューロッド２の上端に床支承部33が設けられている点が第１実施形態品と相違している。また、図８の変形実施形態における床支承雌ネジ筒３とスクリューロッド２に対するロックナット４の関係も、第１実施形態品におけるものと基本的に変わりがなく、ロックナット４はフック片41と楔片43とローレット（制動部）Ｂ1 とを有し、ロックナット４のフック片41が床支承雌ネジ筒３の凸縁31に掛合し、かつ、雌ネジ42がスクリューロッド２に螺合した状態で締寄せ操作することにより楔片43が床支承雌ネジ筒３とスクリューロット２との間の空隙に捻じ込まれて楔止め作用を発揮する。
【００２５】
【発明の効果】
以上、実施形態品を例示して説明したとおり、本発明を適用して構成した高さ調節床束によれば、従来品の如くスタンド雌ネジ筒・床支承雌ネジ筒にスクリューロッドを単純に螺合させるだけの一次的螺合関係でレベル設定するには止まらず、スタンド雌ネジ筒・床支承雌ネジ筒とスクリューロッドとが設定した床レベルを、フック付きロックナットの単純な締寄せ操作によって制動部および／または楔片が狂いのない状態に安定にロックすることができるので、人の活動を通じて生ずる振動やエアコン・電気冷蔵庫などによる微振動を不断に受けても螺合位置が移動して床レベルが狂ったりすることはない。
【００２６】
また、本発明の床束を使用する場合には、ロックナットがスタンド雌ネジ筒・床支承雌ネジ筒の凸縁にフック片を介して近く配置されているので、床束のレベル合せが済んだとき直ちに締寄せ操作して簡単にロックできるので、工期の短縮化を図れると共に、構築される床構造物の床レベルは高精度に維持でき、しかも耐久性が頗る高くなる。
【００２７】
このように本発明によれば、従来この種の高さ調節床束の難点を遺憾なく克服することができるうえに、機構的にもロックナットの形状を工夫しただけで射出成形によって安価に製造できるのでコストを上げる原因も成さず、実用的床束を安価に提供することがである。したがって、本発明の高さ調節床束のチャッキング・レベルロック機構は、高品質の床構造物の構築を可能にすると共に工期の短縮化と工費の節減にも役立つものであり、その産業上の利用価値は大きい。
【図面の簡単な説明】
【図１】図１は、従来の高さ調節床束を表わした分解斜視図である。
【図２】図２は、本発明の実施形態品である高さ調節を表わす分解斜視図である。
【図３】図３は、本実施形態品をレベル合わせしてロックナットでロックした状態の斜視説明図である。
【図４】図４は、本実施形態品におけるロックナットとスタンド雌ネジ筒とが構成する制動部の分解斜視説明図である。
【図５】図５は、本実施形態品を用いてスラブ上に大引き床組を構築する状態を表わす斜視図である。
【図６】図６は、本発明床束における床支承雌ネジ筒の床支承部の木板に構成した例を表わす斜視図である。
【図７】図７は、本発明の床束を床支承部付のスクリューロッドとスタンド雌ネジ筒とロックナットとにより構成した場合の変形実施形態品の分解斜視説明図である。
【図８】図８は、本発明の床束を床支承雌ネジ筒とスクリューロッドとロックナットとによって構成した場合の変形実施形態品の分解斜視説明図である。
【符号の説明】
１            スタンド雌ネジ筒
11          凸縁
12          第１延筒部
13          定置フランジ
14          円弧状通孔
15          アンカー孔
16          補強リブ
２            スクリューロッド
21          ネジ溝
21ａ        上部ネジ溝
21ｂ        下部ネジ溝
22          回し部
３            床支承雌ネジ筒
3a          雌ネジ筒部
31          凸縁
32          第２延筒部
33          床支承部
33ａ        釘孔
４            ロックナット
41          フック片
42          雌ネジ
43          楔片
Ｂ1 ・ Ｂ2     制動部
Ｐ            高さ調節床束
Ｊ            大引き
Ｌ            根太掛け
Ｓ            雌ネジ溝
【図１】
0004028650.tif 000002
【図２】
0004028650.tif 000003
【図３】
0004028650.tif 000004
【図４】
0004028650.tif 000005
【図５】
0004028650.tif 000006
【図６】
0004028650.tif 000007
【図７】
0004028650.tif 000008
【図８】
0004028650.tif 000009